(57)【要約】【課題】特に任意の場所に設置可能であって、哺乳瓶の角度および方向を自由自在に移動設置することが可能な授乳スタンドを提供する。【解決手段】哺乳瓶を保持し、乳児等の授乳状態を一定に維持する構成の授乳スタンドにおいて、３６０度任意の方向および角度に移動配置可能なフレキシブルな構造を持ったアームと、リング状の哺乳瓶の保持部と、該保持部を前記アームに回転可能に接合する前記保持部との接合部と、任意の場所に設置可能な構造であってアームを指示する基台部と、からなる構造である。【選択図】    図１
2011172656.tif 000002
【特許請求の範囲】
【請求項１】
哺乳瓶を保持し、乳児等の授乳状態を一定に維持する構成の授乳スタンドにおいて、
３６０度任意の方向および角度に移動配置可能なフレキシブルな構造を持ったアームと、
リング状の哺乳瓶の保持部と、
該保持部を前記アームに回転可能に接合する前記保持部との接合部と、
任意の場所に設置可能な構造であってアームを指示する基台部と、からなることを特徴とする授乳スタンド。
【請求項２】
前記基台部は、挟持手段を備えることを特徴とする請求項１記載の授乳スタンド。
【請求項３】
前記基台部は、吸盤手段を備えることを特徴とする請求項１記載の授乳スタンド。
【請求項４】
前記基台部は、保温手段を備えることを特徴とする請求項１乃至３の何れか１項に記載の授乳スタンド。
【請求項５】
前記基台部は、クランプ機構または螺子止機構を備えることを特徴とする請求項１または４記載の授乳スタンド。
【請求項６】
前記基台部は、ストローラ、ベビーベッドまたはベビーチェアの一部に装着されていることを特徴とする請求項１乃至５の何れか１項に記載の授乳スタンド。
【請求項７】
前記授乳スタンドは、監視装置を備えることを特徴とする請求項１乃至６の何れか１項に記載の授乳スタンド。
【発明の詳細な説明】
【技術分野】
【０００１】
本発明は、哺乳瓶を保持する授乳スタンドに関し、特に任意の場所に設置可能であって、哺乳瓶の角度および方向を自由自在に移動設置することが可能な授乳スタンドに関する。
【背景技術】
【０００２】
出産後の母親にとって、出産直後の数ヶ月間の深夜にわたる授乳は睡眠の頻繁な中断や慢性的な睡眠不足により疲労を引き起こす原因になっている。また、その後続く数ヶ月にわたる授乳は、育児とともに家事、そして仕事をするワーキングマザーにとって、多大な体力的負担がかかるものである。
その為、家事や仕事等で手が離せないときに、人の手を煩わすことなく哺乳瓶による授乳が可能な支持台および授乳器の開発が望まれていた。
【０００３】
授乳用の補助器具として特開平６−１８９８４１号の哺乳びんスタンドの発明がある。このスタンドでは哺乳びんを任意の位置に支持でき、保持できるという利点がある。
しかし、アームの可動領域が広く任意の位置に設定できるものの、第一連結軸や第二連結軸の二つの調整を毎回行う必要があり、任意の位置に固定する手間がかかるとともに、僅かな位置ズレを調節することが困難であるという問題が残っていた。また、基台が固定されているため、床面のような平らな面にスタンドを設置することは可能であるが、平らな基台を載置できない柔軟な布団の上等では使用することが出来ないという問題があり、使用場所、設置位置が限られるため利便性に欠けるという問題があった。
【０００４】
その為、乳児が授乳を必要とする布団、ベビーベッドおよびベビーチェア、また、移動可能なストローラにおいても安全に授乳可能な授乳補助器具の開発が望まれていた。また、寝たままでも、座ったままでも、乳児が自主的にミルクや水等の飲料を安全に適量分だけ飲むことができる授乳補助器具の開発が望まれていた。更に、乳児から離れた場合であっても、授乳状態を把握することが出来る安全性の高い授乳器具の開発が望まれていた。
【先行技術文献】
【特許文献】
【０００５】
【特許文献１】特開平６−１８９８４１号公報
【特許文献２】公開実用新案昭５３−３６４８８号公報
【発明の開示】
【発明が解決しようとする課題】
【０００６】
本件発明は、上記問題点を解消するために、哺乳瓶を保持する授乳スタンドに関し、特に、任意の場所に設置可能であって、哺乳瓶の角度および方向を自由に移動して設置することが可能な授乳スタンドを提供することを目的とする。また、授乳時にミルク等の飲料水を適切な量だけ安全に供給することができる授乳スタンドであって、乳児の安全を確認することが可能な授乳スタンドを提供することを目的とする。
【課題を解決するための手段】
【０００７】
上記目的を達成するために本発明に係る授乳スタンドは、哺乳瓶を保持し、乳児等の授乳状態を一定に維持する構成の授乳スタンドであって、３６０度任意の方向および角度に移動配置可能なフレキシブルな構造を持ったアームと、リング状の哺乳瓶の保持部と、該保持部を前記アームに回転可能に接合する前記保持部との接合部と、任意の場所に設置可能な構造であってアームを指示する基台部と、からなる構成である。
【０００８】
また、前記基台部は、挟持手段を備える構成である。また、前記基台部は、吸盤手段を備える構成である。
【０００９】
更に、前記基台部は、保温手段を備える構成でもある。また、前記基台部は、クランプ機構または螺子止機構を備える構成である。
【００１０】
また、本発明に係る授乳スタンドの前記基台部は、ストローラ、ベビーベッドまたはベビーチェアの一部に装着されている構成である。
更に、前記授乳スタンドは、監視装置を備える構成でもある。
【発明の効果】
【００１１】
本発明に係る授乳スタンドは、上記詳述した通りの構成であるので、以下のような効果を奏する、
１．アームがフレキシブルなチューブで構成されている為、哺乳瓶を適当な位置に容易に設置することが出来る。また、接合部により保持部が回転可能に接合されている為、哺乳瓶の角度を容易に変えることができ、乳児が自主的に哺乳瓶の角度を変えて適量のミルクや水を飲むことが可能である。更に、授乳が必要でない場合は、重力により哺乳瓶の吸口を上部に向けて液体が滴下しないように保つことができる。
【００１２】
２．基台部に挟持手段を備えているため任意の場所に設置し易く、乳児を抱っこしたり添い寝したりすることなく、多様な場面で安心して適切に授乳を行うことが出来る。
３．基台部に吸盤手段を備えているため装着・脱着がし易い。また、窓ガラス等にも設置することが可能であり、吸盤手段とフレキシブルなアームにより、傾斜面上であってもスタンドを設置して哺乳瓶を適切に固定することができ、移動中の車内でも手を煩わせることなく授乳を行うことが出来る。
【００１３】
４．保温手段によりミルクを冷ますことなく適切な温度に保つことが出来る。
５．クランプ（締具）や螺子止により、スタンドを確実に固定することが出来る。また、設置が容易である。
【００１４】
６．基台部がストローラ、ベビーベッドまたはベビーチェアに装着されているため、乳児の移動時や睡眠時においても必要に応じて早急に授乳を行うことが可能である。また、乳児が自ら哺乳することができるとともに、近傍にミルクがあることで安心させることができる。
７．監視装置により、授乳状態を確認できるとともに、乳児から離れた状態であっても常に安全を確認することが出来る。
【図面の簡単な説明】
【００１５】
【図１】本発明に係る授乳スタンドの斜視図。
【図２】本発明に係る授乳スタンドの保持部の斜視図。
【図３ａ】本発明に係る授乳スタンドの基台部のクランプ機構を示す斜視図。
【図３ｂ】本発明に係る授乳スタンドの基台部の螺子止機構を示す斜視図。
【図４】本発明に係る授乳スタンドの別の実施例を示す斜視図。
【図５】本発明に係る授乳スタンドの保持部の断面図。
【発明を実施するための形態】
【００１６】
以下に本発明に係る授乳スタンドを図面に従って詳細に説明する。
本発明に係る授乳スタンド１０は、アーム２０と、保持部３０と、接合部４０と、基台部５０と、からなる構成である。
【００１７】
アーム２０は、フレキシブルな構造体からなり、ここではフレキシブルチューブを利用しており、哺乳瓶７０の授乳時の設置位置を自由に設定可能とすることができる。アーム２０の全体が屈曲して定着可能であるため、基台部５０を乳児の近辺の安定した場所に設置した上で、アーム２０の高さや角度を適宜に設定することにより、容易に寝そべったり座ったりしている乳児の口元に合わせて哺乳瓶を適切な位置に固定することが出来る。本実施例ではステンレス、アルミ等の金属によるフレキシブルチューブを使用している。
【００１８】
保持部３０は、哺乳瓶７０を保持するリング状の部材である。図１に示す実施例では哺乳瓶７０の周囲を抱持するリングを用いている。また、図２に示すように、哺乳瓶７０を緊締保持するリングとすることが出来る。緊締することが出来るので、哺乳瓶の保持固定が確実で安全となる構造である。また、哺乳瓶７０の大きさに応じて締結リングの長さを容易に変えることが出来るので、どのような形の哺乳瓶でも装着することが出来る。締結リングは金属製とすることで強度が増して固定を確実にすることが出来る。また、樹脂製のリングからなる保持部３０を用いて、滑りを防止し、乳児が哺乳瓶７０に手を添えた場合にも安全な構造とすることも出来る。
【００１９】
また、哺乳瓶７０をリング状に抱持するクリップ構造（図示せず）としてもよい。クリップ構造とすることで、哺乳瓶の取外しが容易で使いやすい授乳スタンドとすることが出来る。
また、保持部３０の他の例として、図１に示すボトルネックホールドフィンガー、図２に示すホースクランプの他に、面ファスナー・ベルト（ベルクロ）、ゴムベルト等を用いることが可能である。面ファスナー・ベルトを使用することにより、哺乳瓶７０の大きさに合わせてしっかり縛り付けることができ、滑りぬける心配もない構造とすることが出来る。また、面ファスナー・ベルトの場合、接合部側に弾性のあるクッション等のボトルベースを設けることにより、より確実に哺乳瓶を保持することが出来る。
【００２０】
接合部４０は、保持部３０をアーム２０に回転可能に装着する部材である。本実施例では、接合部４０と保持部３０が一体的に形成されており、接合部４０の軸４２がアーム２０の内部空洞に枢支される構造となっている。接合部４０の形状はこれに限られるものではなく、保持部３０を回動可能にアームに接合する構造であればよい。例えば、３６０度回転可能な螺子やスイベルを使用することが可能である。また、保持部３０と一体的に構成された接合部４０を交換することにより、哺乳瓶７０のサイズに合わせて保持部の大きさを交換可能な構造とすることが可能である。
【００２１】
接合部が回転可能であるため、アーム２０により固定した位置の哺乳瓶７０の角度を自由に変えることが出来る。その為、乳児が哺乳瓶７０を口から外したい時には、手で角度を変えたり、哺乳瓶の重力により自動的に哺乳瓶の吸口を上方向にして垂直状態に戻すことにより、内部の飲料を零す虞もないスタンドである。
【００２２】
図５に接合部４０がスイベルで形成され、保持部３０が面ファスナー３２により形成された本発明に係る授乳スタンドの保持部の実施例を示す。本実施例では、保持部３０を形成する面ファスナーの接合部側に、弾性のあるゴム製ベース３４を設けている。哺乳瓶７０を取付ける場合、哺乳瓶をベース３４に密着させて図５に示す哺乳瓶の直径より長く形成された面ファスナー３２を瓶の径に合わせてしっかりと接着させる。面ファスナー３２により哺乳瓶７０の取付け、取外しが容易にでき、取付けた哺乳瓶を滑りぬけることなく安定して保持することが出来る。また、面ファスナーに変えてゴム製のベルトを用いることも可能である。
【００２３】
基台部５０は、アーム２０を支持して任意の場所に必要に応じて堅固に固定することの出来る台である。基台部５０は授乳スタンドを任意の個所に固定することが可能な様々な形状を採ることが可能である。
【００２４】
本発明に係る授乳スタンドの一実施例では、基台部５０は基台に挟持手段５２を備えている。基台部５０は図１に示す実施例のように、挟持手段５２によって形成する基台部５０としてもよい。挟持部５２により机等に容易に設置することが可能であり、更に、乳児の近辺に存在する本など手頃で軽量な硬質物品に挟持装着して設置することも可能である。
【００２５】
基台部５０は、吸盤手段（図示せず）を備えた構造とすることも可能である。基台５５の裏面に吸盤手段を装備することで、傾斜のある面でも授乳スタンド１０を装着設置することが可能となる。また、窓ガラス等の平滑面にも装着可能であり、車両で移動する際にも乳児の近傍に哺乳瓶を設置して簡便に授乳を行うことが出来る。
【００２６】
また、図３ｂおよび図３ｃに示す別の実施例のように、基台部５０にクランプ（締具）機構５６や螺子止機構５８を備えた構造とすることも可能である。
クランプ機構や螺子止機構による固定式の基台を用いたスタンドとすることで、机のみならず、ストローラ、ベビーベッドまたはベビーチェア等のような移動するものにも確実に固定することが可能となる。特にストローラでは持運びや移動による振動によりアーム２０の移動や基台部５０の位置ズレがおこる虞があるが、基台部５０を確実に固定することで安定した授乳を行うことが可能となる。
【００２７】
また、螺子止機構５８により、図４に示す他の実施例のように、ストローラ８０の一部を基台部として授乳スタンド１０を設置することが可能である。一例として、基台部５０となるストローラ等の一部に孔を設け、アーム２０の基台部側の一端に螺子溝を設けてボルトで固定することにより、ストローラ８０と一体的に形成した授乳スタンドとすることが出来る。
同様に、ストローラ以外にも机、ベビーベッドまたはベビーチェア等の一部を基台部とすることが可能である。
【００２８】
本発明の別の実施例では、授乳スタンド１０の基台部５０に保温手段（図示せず）を備えた構造とすることも可能である。保温手段は基台部５０の内部に設置され、授乳しない間、哺乳瓶７０を保温手段の上部に載置することにより、ミルク等の温度を一定に保つことが出来る。
【００２９】
本発明の更に別の実施例では、授乳スタンド１０に監視装置を装備している。監視装置は、授乳スタンド１０のアーム２０、保持部３０、基台部５０の何れかに装着可能な構造であり、複数の監視装置を装着する構造とすることも出来る。
監視装置としては、画像、映像や音声を無線で送受信できる機器を用いることができる。例としては、ＡＶカメラをワイヤレスでつないで受信機で受信することにより、監視カメラによるリアルタイムの通信監視や録画をすることが可能である。また、携帯電話やＰＣに自動通報する構成とすることも可能である。携帯電話に通報することにより外部に居ても乳児の状態を確認することができる。
【００３０】
音声を感知する監視装置とすることも可能である。例えば、トランシーバにより音声のみの送受信を行う監視装置を装備した授乳スタンド１０とすることが出来る。乳児が声をあげた場合に感知して知らせることで、緊急時に直ぐに駆けつけて対応することが出来る。
また、映像のみの監視カメラによる監視装置とし、仕事場であっても音を発生させることなく画像により常時監視できる構造とすることも可能である。更に、監視装置としてマイク付赤外線カメラを装備することにより、明かりが無くとも体温によって乳児の様子を感知し、別室で監視することが出来る。
【００３１】
本発明の授乳スタンドにより、哺乳瓶を乳児の近辺に安全に設置することが可能となり、授乳のために深夜起されることなく睡眠時間を確保することが出来る。また、昼間も家事を安心して行うことが可能となる。更に、育児にゆとりができることで安定したコミュニケーションをとることが出来る。
【００３２】
また、本発明の授乳スタンドは、介護用のチェア、ベッドまたは机等に備えることにより、介護用の飲料水スタンドとして使用することも可能である。保持部によって飲料用の容器を確実に保持し、重力により給水時以外は飲口が上方に向いているので零れる虞もなく安全な構造である。
【符号の説明】
【００３３】
１０    授乳スタンド
２０    アーム
３０    保持部
３２    面ファスナー
３４    ベース
４０    接合部
４２    軸
５０    基台部
５２    挟持手段
５５    基台
５６    クランプ機構
５８    螺子止機構
７０    哺乳瓶
８０    ストローラ
【図３ａ】
2011172656.tif 000003
【図３ｂ】
2011172656.tif 000004
【図４】
2011172656.tif 000005
【図５】
2011172656.tif 000006
【図１】
2011172656.tif 000007
【図２】
2011172656.tif 000008